(57)【要約】毛管機能と防根機能を併せ持った紐条体を提供することで、鉢栽培の果実・作物を効率的、かつ低コストで栽培するとともに、味を良くする。【解決手段】毛管機能を有する毛管資材の全長に亘ってその外周を透水性と防根機能を有する防根透水資材で包んで可撓性のある紐状体にしたことを特徴とする防根給水紐。毛管資材を防根透水資材で巻いて端部を重合させ、この重合部を固着したことを特徴とする防根給水紐の製造方法。中に培土を入れてこの培土に作物を植えた鉢の側面に底部から所定高さの位置に孔をあけ、この孔から一端を培養液に浸した紐状体の他端側を挿入して孔の延長上反対側まで這わせ、次いで鉢壁に沿って培土の表面近くまで延ばしたことを特徴とする防根給水紐の栽培鉢内における配置方法。
2007086295.tif 000002
【特許請求の範囲】
【請求項１】
毛管機能を有する毛管資材の全長に亘ってその外周を透水性と防根機能を有する防根透水資材で包んで可撓性のある紐状体にしたことを特徴とする防根給水紐。
【請求項２】
紐状体の端面の毛管資材も防根透水資材で被覆してある請求項１の防根給水紐。
【請求項３】
紐状体の断面が方形、円形、楕円形又は多角形である請求項１又は２の防根給水紐。
【請求項４】
紐状体が幅２０〜５０ｍｍ、厚み２〜６ｍｍの偏平な帯状をしている請求項１〜３いずれかの防根給水紐。
【請求項５】
請求項１〜４いずれかの防根給水紐の製造方法であり、毛管資材を防根透水資材で巻いて端部を重合させ、この重合部を固着したことを特徴とする防根給水紐の製造方法。
【請求項６】
重合部の固着が、接着、溶着又は縫着である請求項５の防根給水紐の製造方法。
【請求項７】
請求項１〜４いずれかの防根給水紐の製造方法であり、予め防根透水資材を巻いて筒状にしておき、この中に毛管資材を引き込むことを特徴とする防根給水紐の製造方法。
【請求項８】
請求項１〜４いずれかの防根給水紐の製造方法であり、毛管資材の外周に織布や編布を円筒形に形成できる織機や編機を配し、毛管資材を送るとともに、その周囲に防根透水資材を織成又は編成して行くことを特徴とする防根給水紐の製造方法。
【請求項９】
請求項１〜４いずれかの防根給水紐の栽培鉢内における配置方法であり、中に培土を入れてこの培土に作物を植えた鉢の側面に底部から所定高さの位置に孔をあけ、この孔から一端を培養液に浸した紐状体の他端側を挿入して孔の延長上反対側まで這わせ、次いで鉢壁に沿って培土の表面近くまで延ばしたことを特徴とする防根給水紐の栽培鉢内における配置方法。
【請求項１０】
防根吸水紐が一端を培養液に浸すタイミングを適宜ずらせた複数である請求項９の防根給水紐の栽培鉢内における配置方法。
【請求項１１】
紐状体の他端側を培土の表面近くで数回巻いてボールにした請求項９又は１０の防根給水紐の栽培鉢内における配置方法。
【発明の詳細な説明】
【技術分野】
【０００１】  本発明は、野菜や果樹の栽培に用いられる園芸資材であり、水（養液）の透過は許容するものの、作物の根の侵入は阻止する防根給水紐並びに防根給水紐の製造方法及び防根給水紐の栽培鉢内における配置方法に関するものである。
【背景技術】
【０００２】  野菜や果樹（以下、作物）では、根域の拡がりを制限することで、根の過度の繁茂を抑えて茎や果実への栄養の行き渡りを助長し、より味の良い果実が収穫できることが知られている。このため、鉢等で栽培床の大きさを制限したりすることが行われている。一方、養分や水を管理的に補給すれば、栽培効率が上がることも知られている。そこで、栽培床に給水設備に連結されて毛管現象を呈す毛管シートを張り、給水設備から毛管シートを通して水（養液のこと。以下、同じ）を効率的に供給する方法がとられている。しかし、これによると、作物が成長するに伴ってその根が毛管シートに入り込み、毛管作用を損なうといったことが生ずる。【０００３】  このため、下記特許文献１では、鉢の底に毛管シートを張り、その上に水は通すが、作物の根は通さない微細孔を形成した防根シートを敷き、これに培土を充填して作物を栽培する方法が提案されている。これによると、根は防根シートで遮られて毛管シート内まで侵入しないから、毛管シートの毛管作用を損なうことはない。しかし、防根シート及び毛管シートは、鉢内に全面的に敷張りされるものであるから、大量に必要になって無駄が生じるとともに、敷張りのための手間がかかる。何よりも、鉢内に全面的に敷張りされた毛管シートによって水が大量に供給され、作物は、所謂、水ストレスを起こさず、果実の味が低下するといった問題が生ずる。【０００４】  そこで、下記特許文献２では、作物の培土を防根シートで包み、さらにその外側にも防根シートを張ってこの間に作物の根を伸長させる方法がとられている。これによると、作物の根は、二枚の防根シートの狭い間を伸長するから、根域は制限される。しかし、二枚の防根シートの間隔はいきおい狭いものにならざるを得ず、今度は水ストレスがかかりすぎ、栽培期間が短く、収量が少ないといった問題が生ずる。トマトを例にとれば、短期間で数段しか収穫できない。加えて、全面敷張りに基づく防根シートが大量に必要という問題や敷張りのための作業が煩雑であるという問題は、防根シートが二枚必要になることで余計に助長される。【０００５】  さらに、特許文献３には、毛管機能を有する導水部の両端部を露出させ、残部を水密性のある被覆部で包んだ導水部と、導水部の露出部分を包む防根透水機能を有する給水被覆部とからなる導水管具が示されているが、部材が導水部、被覆部及び給水被覆部の三部材からなって構造が複雑になるとともに、コストが高くつく。また、栽培鉢内に挿入できる給水被覆部は長さが２０〜１００ｍｍと短いから、鉢内の作物へ十分に給水されないといった点が指摘される。さらに、導水部と被覆給水部の固定作業をしなければならず、製造が煩雑である。この他、特許文献４には、栽培鉢内に置設する毛管機能を有する紐状体の外周を綿と樹脂製の網又はホースで覆ったものが示されているが、これら綿と網又はホースには作物の根の侵入を阻止する（防根）考え方は取り入れられておらず、作物は生長に伴ってその根がこれらを突き破って紐状体に侵入し、目詰まりを起こす。
【特許文献１】特開平１０−１２７１７７号公報
【特許文献２】特開２００４−２０１５１８号公報
【特許文献３】特開平１１−０３２６０２号公報
【特許文献４】特開２００２−３０５９８１号公報
【発明の開示】
【発明が解決しようとする課題】
【０００６】  本発明は、上記した問題を解決したものであって、要するに、毛管資材を防根透水資材で包み込んだ紐状体にすることで、鉢内（培土）に必要十分な占有面積を確保できて作物に対して水ストレスを適度に与え、加えて、敷張りのための手間も極力省けるようにしたものである。
【課題を解決するための手段】
【０００７】  以上の課題の下、本発明は、請求項１に記載した、毛管機能を有する毛管資材の全長に亘ってその外周を透水性と防根機能を有する防根透水資材で包んで可撓性のある紐状体にしたことを特徴とする防根給水紐を提供するとともに、この防根給水紐として、請求項２に記載した、紐状体の端面の毛管資材も防根透水資材で被覆してある手段、請求項３に記載した、紐状体の断面が方形、円形、楕円形又は多角形である手段、請求項４に記載した、紐状体が幅２０〜５０ｍｍ、厚み２〜６ｍｍの偏平な帯状をしている手段を提供したものである。【０００８】  また、本発明は、以上の防根給水材の製造方法として、請求項５に記載した、毛管資材を防根透水資材で巻いて端部を重合させ、この重合部を固着した方法、そして、この固着の具体例として、請求項６に記載した、接着、溶着又は包着によったものを提供したものである。また、これに代えて、請求項７に記載した、予め防根透水資材を巻いて筒状にしておき、この中に毛管資材を引き込む手段、請求項８に記載した、毛管資材の外周に織布や編布を円筒形に形成できる織機や編機を配し、毛管資材を送るとともに、その周囲に防根透水資材を織成又は編成して行く手段も提供する。【０００９】  さらに、本発明は、以上の防根給水紐の栽培鉢内における配置方法として、請求項９に記載した、中に培土を入れてこの培土に作物を植えた鉢の側面に底部から所定高さの位置に孔をあけ、この孔から一端を培養液に浸した紐状体の他端側を挿入して孔の延長上反対側まで這わせ、次いで鉢壁に沿って培土の表面近くまで延ばした手段、この手段において、請求項１０に記載した、防根吸水紐が一端を培養液に浸すタイミングを適宜ずらせた複数である手段を提供するとともに、この配置方法において、請求項１１に記載した、紐状体の他端側を培土の表面近くで数回巻いてボールにした手段を提供したものである。
【発明の効果】
【００１０】  請求項１の手段によると、この防根給水紐は、毛管資材と防根透水資材とが一体になったものであるから、別々に敷張りしたりする手間が省けるし、紐状体になっているものであるから、鉢内に必要にして十分なだけ存在させることができ、全面敷張りが避けられて無駄が省ける。そして、請求項２の手段によると、端面を鉢内に存在させたとしても、毛管資材の中に根が侵入しないし、請求項３及び４の手段によると、取扱性に優れる上に作物に対して適度な水ストレスを与えるものになる。【００１１】  一方、請求項５又は７の手段によると、それぞれ製品として市販されている毛管資材と防根透水資材を用いて紐状体を簡単に製造することができるし、請求項８の手段によると、製品形態の優れたものをいくらでも長く製造できる。また、請求項９又は１０の手段によれば、この紐状体を鉢内でもっとも効率的に配置できるし、さらに、請求項１１の手段によれば、培土の上層への水の吸上げをより促進する。
【図面の簡単な説明】
【００２５】
【図１】本発明にかかる防根給水紐の説明図である。
【図２】防根給水紐の製造方法の一例を示す説明図である。
【図３】防根給水紐を使用しての作物の栽培方法を示す説明図である。
【符号の説明】
【００２６】  Ａ      防根給水紐
１      毛管資材
２      防根透水資材
２ａ        〃      の余部
２ｂ        〃      の余部
３      紐状体
４      鉢
５      培土
６      トマト（作物）
６ａ    トマトの根
７      孔
８      養液
９      養液ポット
１０    ボール
【発明を実施するための最良の形態】
【００１２】  以下、本発明の実施の形態を図面を参照して説明する。図１は本発明に係る防根給水紐の斜視図であるが、この防根給水紐Ａは、毛管機能を有する毛管資材１の外周を透水性と防根（作物の根が侵入しない）機能を有する防根透水資材２で全面的に包んで紐状体３にしたものである。この場合の毛管資材１としては、合成或いは天然繊維の布や不織布を成形して毛管機能をもたせたもので、例えば、商品名「ラブシート」（ニチアス株式会社製造）といった名称で市販されているから、これを使用すればよい。【００１３】  一方、防根透水資材２も、例えば、東洋紡株式会社等から種々市販されているから、これを使用すればよい。この防根透水資材２は、素材として、ポリエステル、ポリエチレン、ポリプロピレン、といった合成繊維を使用し、これを作物の根は侵入させないが、水は通す７×１０２〜２×１０３μｍ２の大きさの微細孔を形成して０．２〜３ｍｍ程度の厚みに織性、編成したものである。なお、この他に天然繊維の布帛や不織布や多孔質フィルムのものであってもよい。【００１４】  以上の毛管資材１を防根透水資材２で包み込むのであるが、それには、以下の方法が考えられる。図２は製造方法の一つを示す説明図であるが、一定の長さと幅に調整した防根透水資材２を台等の上に敷き、この上に所定の幅と厚みに調整した毛管資材１を防根透水資材２の短手方向両端に所定の余部２ａ、２ｂを残す状態で載せ、余部２ａ、２ｂの一方を折り返して毛管資材１を包み、余部２ａ、２ｂ同士を重ねてこの重合部を固着する方法である。この固着の具体例としては、接着剤による接着、熱による溶着が一般的である。この場合の接着剤や溶着温度は素材に応じて適宜に選択すればよい。【００１５】  この他、縫い糸を使用しての縫着であってもよい。なお、縫着の場合、縫い孔同士の間隔や縫い孔と縫い糸との間隙を防根機能を有する細かいものにする必要があるが、縫着した後で隙間部分を樹脂等で塞ぐことで解決できる。さらに、防根透水資材２の長手方向の端を余しておき、この部分も固着すれば、毛管資材１を防根透水資材２で全面的に被覆できる。この場合の防根透水資材２の厚みは、可撓性を発揮できる１ｍｍ以下のものが好ましい。【００１６】  以上の製造方法によると、重合部が短手方向（又は長手方向）の端に突出する形態になるが、これは、固着作業がし易いからであり、これが存在していたとしても、性能上は何ら問題はない。もちろん、重合部を端に出さないようにして固着してもよい。この他の製造方法としては、図示は省略するが、防根透水資材２を予め重合部ができるように巻いて筒状にしておき、毛管資材１に糸や紐を取り付け、これを防根透水資材２の中に通して引っ張ることで、毛管資材１を防根透水資材２の中に引き込むようにしてもよい。これによると、重合部をはみ出さないように形成するのが比較的容易になる利点がある。【００１７】  以上の紐状体３のサイズとしては、幅Ｗが２０〜５０ｍｍ、厚みｔが２〜６ｍｍ程度が栽培用の鉢に対しての占有面積が適するものになって好ましい。この幅Ｗや厚みｔは、毛管資材１と防根透水資材２の製造前寸法で調整することになるのであるが、特に、厚みｔに関しては、先の市販品のものを使用するとすれば、その厚みは比較的薄い（２．５ｍｍ程度）から、これを一枚又は複数枚重ねて所定の厚みｔにすればよい。もちろん、メーカー等に依頼して最初から所定の厚みｔのものに加工して貰ってもよい。【００１８】  トマトの栽培を例にとると、鉢は、根域制限の観点から、直径１５〜２０ｃｍ、深さ２０〜３０ｃｍ程度のものが好ましいから、上記のサイズの紐状体３によれは、鉢内にこれを一本配置しておくだけで、適度な水ストレスを与えるものになる。したがって、サイズがこれよりも小さいと、数が多く必要になるし、大きいと、水の供給が過多になって好ましくない。また、長さは、上記の方法によれば、あまり長いものは製造し難く、１ｍ程度が限度になるが、この程度であれば十分である。なお、紐状体３の断面形状は、毛管資材１の断面形状によって決まるから、これを方形、円形、楕円形、多角形にしておけば、その形状になる。中でも、上記した偏平な方形（帯状）のものが断面積に対する表面積が大きくなって透水性に優れ、かつ取扱性も良くなって好ましい。【００１９】  ところで、紐状体３の連続体を製造することも可能である。例えば、毛管資材１と防根透水資材２を連続して送り出し、この間、防根透水資材２をガイド等で円形に巻いて毛管資材１を包み込み、端部同士を接着、溶着又は縫着して固着する方法が考えられる。また、毛管資材１の回りに織布や編布を円筒体に形成できる織機や編機を配し、毛管資材１を送るとともに、その周囲に織機や編機によって防根透水資材２を織成又は編成して行く方法も不可能ではない。これによると、紐状体３を長尺のものにできるから、適宜ロールに巻いたもので流通過程におけるから、購入者は、これを適当な長さに切断して使用すればよい。【００２０】  図３は以上の防根給水紐Ａを用いてトマトを鉢栽培する場合の説明図であるが、上記したサイズの鉢４の中に培土５を表面近くまで入れ、この中にトマト６を植える。この場合、鉢４の側面には、底面から２〜５ｃｍの高さに紐状体３を通す孔７をあけておく。そして、鉢４の側下方には養液８を入れた養液ポット９を用意し、紐状体３の一端を養液８に浸し、他端側を上方に引き上げて孔７に通してその延長上を反対側まで這わせ、ここから鉢壁に沿って上昇させ、培土５の表面近くまで延ばす。一方、終端では、紐状体３を数回巻いてボール１０にしておくのが好ましい。【００２１】  以上により、トマト６は、養液８を紐状体３で吸い上げ、生育して結実するから、これを収穫すればよい。これにおいて、鉢４は上記したサイズであるから、根域制限されて養分を徒に根に回さず、味の良いものになる。また、紐状体３が上記したサイズのものであれば、鉢４のサイズに対して適度な水ストレス与えるものになり、この面からも味の良いものになる。さらに、紐状体３の端をボール１０にしておけば、この部分から集中的に養液８が供給され、培土５に均等に行き渡る。この場合、トマト６の根６ａは、水を求めて紐状体３に殺到するように伸長して来るが、紐状体３の表面の防根透水資材２で遮られて中の毛管資材１までは侵入せず、紐状体３の毛管機能は阻害されない。ところで、トマト６は生長に伴って多くの養液８を必要とするから、予め紐状体３を鉢４に複数設けてお���、その生長に合わせて養液８に浸して行く本数を増やすようにすれば、効率的な栽培ができる。【００２２】  この意味で、紐状体３を通す孔７が鉢４の側面に設けられているのが好ましい作用をする。底面であると、重力の作用で根６ａが伸長し易く、孔７から進出するおそれがあるからである。根６ａが孔７から進出すると、紐状体３を伝わって養液ポット９まで入り込み、そうなると、水ストレスが与えられない水耕栽培になってしまい、味が低下する。この点、孔７が鉢４の側面に設けられていると、根６ａが進出し難くなる。ただし、この場合でも、孔７と紐状体４の間隙は極力小さくする必要がある。【００２３】  また、養液ポット９と鉢４とはある程度離すのが好ましい。加えて、鉢４内において、紐状体３の下方に２〜５ｃｍの培土空間ａを確保していることも好ましい影響を与える。紐状体３に殺到して来た根６ａがこの空間ａに回り込むことができるからであり、限られた（根域制限された）空間で、できるだけ広範囲に、しかも均等に繁茂できることになり、これも味の良さにつながる。紐状体３をこのような配置で鉢４内に通しておけば、トマト６は、味の良い果実を１０ケ月程度の長期間結実し続ける。発明者が確認したところでは、１年近く、２５段まで育成できた。【００２４】  以上は、本発明の一例であるが、本発明は、これに限らない。例えば、防根給水紐のサイズは、作物の生育過程で適宜調整することがある。具体的には、多くの水を必要とする夏季には、断面積の大きな紐状体を使用することは有効である。また、栽培する作物も、トマトに限らず、メロンやその他の野菜や果樹でも可能である。さらに、養液ポットと鉢とは１：１の関係に限らず、養液ポットを共通の樋のようなものにしてもよいし、鉢も個別ものに限らず、連続した樋のようなものにしてもよい。こうすれば、設備費が安くなる利点がある。この他、この防根給水紐は、鉢栽培に限らず、露地栽培にも適用できる。すなわち、畝の中にこの防根防水紐を通しておけば、これが水通路となって作物の生育をより促す。
【図１】
2007086295.tif 000003
【図２】
2007086295.tif 000004
【図３】
2007086295.tif 000005
【手続補正書】
【提出日】平成19年5月14日(2007.5.14)
【手続補正１】
【補正対象書類名】特許請求の範囲
【補正対象項目名】全文
【補正方法】変更
【補正の内容】
【特許請求の範囲】
【請求項１】
毛管機能を有する毛管資材の全長に亘ってその外周を透水性と防根機能を有する防根透水資材で包んで可撓性のある紐状体にしたことを特徴とする防根給水紐。
【請求項２】
紐状体の端面の毛管資材も防根透水資材で被覆してある請求項１の防根給水紐。
【請求項３】
紐状体の断面が方形、円形、楕円形又は多角形である請求項１又は２の防根給水紐。
【請求項４】
紐状体が幅２０〜５０ｍｍ、厚み２〜６ｍｍの偏平な帯状をしている請求項１〜３いずれかの防根給水紐。
【請求項５】
請求項１〜４いずれかの防根給水紐の製造方法であり、毛管資材を防根透水資材で巻いて端部を重合させ、この重合部を固着したことを特徴とする防根給水紐の製造方法。
【請求項６】
重合部の固着が、接着、溶着又は縫着である請求項５の防根給水紐の製造方法。
【請求項７】
請求項１〜４いずれかの防根給水紐の製造方法であり、予め防根透水資材を巻いて筒状にしておき、この中に毛管資材を引き込むことを特徴とする防根給水紐の製造方法。
【請求項８】
請求項１〜４いずれかの防根給水紐の製造方法であり、毛管資材の外周に織布や編布を円筒形に形成できる織機や編機を配し、毛管資材を送るとともに、その周囲に防根透水資材を織成又は編成して行くことを特徴とする防根給水紐の製造方法。
【手続補正３】
【補正対象書類名】明細書
【補正対象項目名】０００１
【補正方法】変更
【補正の内容】
【０００１】
［技術分野］
［０００１］
本発明は、野菜や果樹の栽培に用いられる園芸資材であり、水（養液）の透過は許容するものの、作物の根の侵入は阻止する防根給水紐並びに防根給水紐の製造方法に関するものである。
［背景技術］
［０００２］
野菜や果樹（以下、作物）では、根域の拡がりを制限することで、根の過度の繁茂を抑えて茎や果実への栄養の行き渡りを助長し、より味の良い果実が収穫できることが知られている。このため、鉢等で栽培床の大きさを制限したりすることが行われている。一方、養分や水を管理的に補給すれば、栽培効率が上がることも知られている。そこで、栽培床に給水設備に連結されて毛管現象を呈す毛管シートを張り、給水設備から毛管シートを通して水（養液のこと。以下、同じ）を効率的に供給する方法がとられている。しかし、これによると、作物が成長するに伴ってその根が毛管シートに入り込み、毛管作用を損なうといったことが生ずる。
［０００３］
このため、下記特許文献１では、鉢の底に毛管シートを張り、その上に水は通すが、作物の根は通さない微細孔を形成した防根シートを敷き、これに培土を充填して作物を栽培する方法が提案されている。これによると、根は防根シートで遮られて毛管シート内まで侵入しないから、毛管シートの毛管作用を損なうことはない。しかし、防根シート及び毛管シートは、鉢内に全面的に敷張りされるものであるから、大量に必要になって無駄が生じるとともに、敷張りのための手間がかかる。何よりも、鉢内に全面的に敷張りされた毛管シートによって水が大量に供給され、作物は、所謂、水ストレスを起こさず、果実の味が低下するといった問題が生ずる。
［０００４］
そこで、下記特許文献２では、作物の培土を防根シートで包み、さらにその外側にも防根シートを張ってこの間に作物の根を伸長させる方法がとられている。これによると、作物の根は、二枚の防根シートの狭い間を伸長するから、根域は制限される。しかし、二枚の防根シートの間隔はいきおい狭いものにならざるを得ず、今度は水ストレスがかかりすぎ、栽培期間が短く、収量が少ないといった問題が生ずる。トマトを例にとれば、短期間で数段しか収穫できない。加えて、全面敷張りに基づく防根シートが大量に必要という問題や敷張りのための作業が煩雑であるという問題は、防根シートが二枚必要になることで余計に助長される。
［０００５］
さらに、特許文献３には、毛管機能を有する導水部の両端部を露出させ、残部を水密性のある被覆部で包んだ導水部と、導水部の露出部分を包む防根透水機能を有する給水被覆部とからなる導水管具が示されているが、部材が導水部、被覆部及び給水被覆部の三部材からなって構造が複雑になるとともに、コストが高くつく。また、栽培鉢内に挿入できる給水被覆部は長さが２０〜１００ｍｍと短いから、鉢内の作物へ十分に給水されないといった点が指摘される。さらに、導水部と被覆給水部の固定作業をしなければならず、製造が煩雑である。この他、特許文献４には、栽培鉢内に置設する毛管機能を有する紐状体の外周を綿と樹脂製の網又は孔あきホースで覆ったものが示されているが、これら綿と網又は孔あきホースは作物の根の侵入を阻止する（防根）考え方は取り入れられておらず、作物は生長に伴ってその根がこれらを突き破って紐状体に侵入し、目詰まりを起こす。
［特許文献１］特開平１０−１２７１７７号公報
［特許文献２］特開２００４−２０１５１８号公報
［特許文献３］特開平１１−０３２６０２号公報
【手続補正４】
【補正対象書類名】明細書
【補正対象項目名】０００２
【補正方法】変更
【補正の内容】
【０００２】
［特許文献４］特開２００２−３０５９８１号公報
［発明の開示］
［発明が解決しようとする課題］
［０００６］
本発明は、上記した問題を解決したものであって、要するに、毛管資材を防根透水資材で包み込んだ紐状体にすることで、鉢内（培土）に必要十分な占有面積を確保できて作物に対して水ストレスを適度に与え、加えて、敷張りのための手間も極力省けるようにしたものである。
［課題を解決するための手段］
［０００７］
以上の課題の下、本発明は、請求項１に記載した、毛管機能を有する毛管資材の全長に亘ってその外周を透水性と防根機能を有する防根透水資材で包んで可撓性のある紐状体にしたことを特徴とする防根給水紐を提供するとともに、この防根給水紐として、請求項２に記載した、紐状体の端面の毛管資材も防根透水資材で被覆してある手段、請求項３に記載した、紐状体の断面が方形、円形、楕円形又は多角形である手段、請求項４に記載した、紐状体が幅２０〜５０ｍｍ、厚み２〜６ｍｍの偏平な帯状をしている手段を提供したものである。
［０００８］
また、本発明は、以上の防根給水材の製造方法として、請求項５に記載した、毛管資材を防根透水資材で巻いて端部を重合させ、この重合部を固着した方法、そして、この固着の具体例として、請求項６に記載した、接着、溶着又は包着によったものを提供したものである。また、これに代えて、請求項７に記載した、予め防根透水資材を巻いて筒状にしておき、この中に毛管資材を引き込む手段、請求項８に記載した、毛管資材の外周に織布や編布を円筒形に形成できる織機や編機を配し、毛管資材を送るとともに、その周囲に防根透水資材を織成又は編成して行く手段も提供する。
［０００９］
（削除）
［発明の効果］
［００１０］
請求項１の手段によると、この防根給水紐は、毛管資材と防根透水資材とが一体になったものであるから、別々に敷張りしたりする手間が省けるし、紐状体になっているものであるから、鉢内に必要にして十分なだけ存在させることができ、全面敷張りが避けられて無駄が省ける。そして、請求項２の手段によると、端面を鉢内に存在させたとしても、毛管資材の中に根が侵入しないし、請求項３及び４の手段によると、取扱性に優れる上に作物に対して適度な水ストレスを与えるものになる。
［００１１］
一方、請求項５又は７の手段によると、それぞれ製品として市販されている毛管資材と防根透水資材を用いて紐状体を簡単に製造することができるし、請求項８の手段によると、製品形態の優れたものをいくらでも長く製造できる。
［図面の簡単な説明］
［００１２］
［第１図］本発明にかかる防根給水紐の説明図である。
【手続補正５】
【補正対象書類名】明細書
【補正対象項目名】０００３
【補正方法】変更
【補正の内容】
【０００３】
［第２図］防根給水紐の製造方法の一例を示す説明図である。
［第３図］防根給水紐を使用しての作物の栽培方法を示す説明図である。
［符号の説明］
［００１３］
Ａ      防根給水紐
１      毛管資材
２      防根透水資材
２ａ        〃      の余部
２ｂ        〃      の余部
３      紐状体
４      鉢
５      培土
６      トマト（作物）
６ａ    トマトの根
７      孔
８      養液
９      養液ポット
１０    ボール
［発明を実施するための最良の形態］
［００１４］
以下、本発明の実施の形態を図面を参照して説明する。図１は本発明に係る防根給水紐の斜視図であるが、この防根給水紐Ａは、毛管機能を有する毛管資材１の外周を透水性と防根（作物の根が侵入しない）機能を有する防根透水資材２で全面的に包んで紐状体３にしたものである。この場合の毛管資材１としては、合成或いは天然繊維の布や不織布を成形して毛管機能をもたせたもので、例えば、商品名「ラブシート」（ニチアス株式会社製造）といった名称で市販されているから、これを使用すればよい。
［００１５］
一方、防根透水資材２も、例えば、東洋紡株式会社等から種々市販されているから、これを使用すればよい。この防根透水資材２は、素材として、ポリエステル、ポリエチレン、ポリプロピレン、といった合成繊維を使用し、これを作物の根は侵入させないが、水は通す７×１０２〜２×１０３μｍ２の大きさの微細孔を形成して０．２〜３ｍｍ程度の厚みに織性、編成したものである。なお、この他に天然繊維の布帛や不織布や多孔質フィルムのものであってもよい。
［００１６］
以上の毛管資材１を防根透水資材２で包み込むのであるが、それには、以下の方法が考えられる。図２は製造方法の一つを示す説明図であるが、一定の長さと幅に調整した防根透水資材２を台等の上に敷き、この上に所定の幅と厚みに調整した毛管資材１を防根透水資材２の短手方向両端に所定の余部２ａ、２ｂを残す状態で載せ、余部２ａ、２ｂの一方を折り返して毛管資材１を包み、余部２ａ、２ｂ同士を重ねてこの重合部を固着する方法である。この固着の具体例としては、接着剤による接着、熱による溶着が一般的である。この場合の接着剤や溶着温度は素材に応じて適宜に選択すればよい。
［００１７］
この他、縫い糸を使用しての縫着であってもよい。なお、縫着の場合、縫い孔同士の間隔や縫い孔と縫い糸との間隙を防根機能を有する細かいものにする必要があるが、縫着した後で隙間部分を樹脂等で塞ぐことで解決できる。さらに、防根透水資材２の長手方向の端を余しておき、この部分も固着すれば、毛管資材１を防根透水資材２で全面的に被覆できる。この場合の防根透水資材２の厚みは、可撓性を発揮できる１ｍｍ以下のものが好ましい。
［００１８］
以上の製造方法によると、重合部が短手方向（又は長手方向）の端に突出する形態にな
【手続補正書】
【提出日】平成19年5月14日(2007.5.14)
【手続補正１】
【補正対象書類名】特許請求の範囲
【補正対象項目名】全文
【補正方法】変更
【補正の内容】
【特許請求の範囲】
【請求項１】
毛管機能を有する毛管資材の全長に亘ってその外周を透水性と防根機能を有する防根透水資材で包んで可撓性のある紐状体にしたことを特徴とする防根給水紐。
【請求項２】
紐状体の端面の毛管資材も防根透水資材で被覆してある請求項１の防根給水紐。
【請求項３】
紐状体の断面が方形、円形、楕円形又は多角形である請求項１又は２の防根給水紐。
【請求項４】
紐状体が幅２０〜５０ｍｍ、厚み２〜６ｍｍの偏平な帯状をしている請求項１〜３いずれかの防根給水紐。
【請求項５】
請求項１〜４いずれかの防根給水紐の製造方法であり、毛管資材を防根透水資材で巻いて端部を重合させ、この重合部を固着したことを特徴とする防根給水紐の製造方法。
【請求項６】
重合部の固着が、接着、溶着又は縫着である請求項５の防根給水紐の製造方法。
【請求項７】
請求項１〜４いずれかの防根給水紐の製造方法であり、予め防根透水資材を巻いて筒状にしておき、この中に毛管資材を引き込むことを特徴とする防根給水紐の製造方法。
【請求項８】
請求項１〜４いずれかの防根給水紐の製造方法であり、毛管資材の外周に織布や編布を円筒形に形成できる織機や編機を配し、毛管資材を送るとともに、その周囲に防根透水資材を織成又は編成して行くことを特徴とする防根給水紐の製造方法。
【手続補正３】
【補正対象書類名】明細書
【補正対象項目名】０００１
【補正方法】変更
【補正の内容】
【０００１】
［技術分野］
［０００１］
本発明は、野菜や果樹の栽培に用いられる園芸資材であり、水（養液）の透過は許容するものの、作物の根の侵入は阻止する防根給水紐並びに防根給水紐の製造方法に関するものである。
［背景技術］
［０００２］
野菜や果樹（以下、作物）では、根域の拡がりを制限することで、根の過度の繁茂を抑えて茎や果実への栄養の行き渡りを助長し、より味の良い果実が収穫できることが知られている。このため、鉢等で栽培床の大きさを制限したりすることが行われている。一方、養分や水を管理的に補給すれば、栽培効率が上がることも知られている。そこで、栽培床に給水設備に連結されて毛管現象を呈す毛管シートを張り、給水設備から毛管シートを通して水（養液のこと。以下、同じ）を効率的に供給する方法がとられている。しかし、これによると、作物が成長するに伴ってその根が毛管シートに入り込み、毛管作用を損なうといったことが生ずる。
［０００３］
このため、下記特許文献１では、鉢の底に毛管シートを張り、その上に水は通すが、作物の根は通さない微細孔を形成した防根シートを敷き、これに培土を充填して作物を栽培する方法が提案されている。これによると、根は防根シートで遮られて毛管シート内まで侵入しないから、毛管シートの毛管作用を損なうことはない。しかし、防根シート及び毛管シートは、鉢内に全面的に敷張りされるものであるから、大量に必要になって無駄が生じるとともに、敷張りのための手間がかかる。何よりも、鉢内に全面的に敷張りされた毛管シートによって水が大量に供給され、作物は、所謂、水ストレスを起こさず、果実の味が低下するといった問題が生ずる。
［０００４］
そこで、下記特許文献２では、作物の培土を防根シートで包み、さらにその外側にも防根シートを張ってこの間に作物の根を伸長させる方法がとられている。これによると、作物の根は、二枚の防根シートの狭い間を伸長するから、根域は制限される。しかし、二枚の防根シートの間隔はいきおい狭いものにならざるを得ず、今度は水ストレスがかかりすぎ、栽培期間が短く、収量が少ないといった問題が生ずる。トマトを例にとれば、短期間で数段しか収穫できない。加えて、全面敷張りに基づく防根シートが大量に必要という問題や敷張りのための作業が煩雑であるという問題は、防根シートが二枚必要になることで余計に助長される。
［０００５］
さらに、特許文献３には、毛管機能を有する導水部の両端部を露出させ、残部を水密性のある被覆部で包んだ導水部と、導水部の露出部分を包む防根透水機能を有する給水被覆部とからなる導水管具が示されているが、部材が導水部、被覆部及び給水被覆部の三部材からなって構造が複雑になるとともに、コストが高くつく。また、栽培鉢内に挿入できる給水被覆部は長さが２０〜１００ｍｍと短いから、鉢内の作物へ十分に給水されないといった点が指摘される。さらに、導水部と被覆給水部の固定作業をしなければならず、製造が煩雑である。この他、特許文献４には、栽培鉢内に置設する毛管機能を有する紐状体の外周を綿と樹脂製の網又は孔あきホースで覆ったものが示されているが、これら綿と網又は孔あきホースは作物の根の侵入を阻止する（防根）考え方は取り入れられておらず、作物は生長に伴ってその根がこれらを突き破って紐状体に侵入し、目詰まりを起こす。
［特許文献１］特開平１０−１２７１７７号公報
［特許文献２］特開２００４−２０１５１８号公報
［特許文献３］特開平１１−０３２６０２号公報
【手続補正４】
【補正対象書類名】明細書
【補正対象項目名】０００２
【補正方法】変更
【補正の内容】
【０００２】
［特許文献４］特開２００２−３０５９８１号公報
［発明の開示］
［発明が解決しようとする課題］
［０００６］
本発明は、上記した問題を解決したものであって、要するに、毛管資材を防根透水資材で包み込んだ紐状体にすることで、鉢内（培土）に必要十分な占有面積を確保できて作物に対して水ストレスを適度に与え、加えて、敷張りのための手間も極力省けるようにしたものである。
［課題を解決するための手段］
［０００７］
以上の課題の下、本発明は、請求項１に記載した、毛管機能を有する毛管資材の全長に亘ってその外周を透水性と防根機能を有する防根透水資材で包んで可撓性のある紐状体にしたことを特徴とする防根給水紐を提供するとともに、この防根給水紐として、請求項２に記載した、紐状体の端面の毛管資材も防根透水資材で被覆してある手段、請求項３に記載した、紐状体の断面が方形、円形、楕円形又は多角形である手段、請求項４に記載した、紐状体が幅２０〜５０ｍｍ、厚み２〜６ｍｍの偏平な帯状をしている手段を提供したものである。
［０００８］
また、本発明は、以上の防根給水材の製造方法として、請求項５に記載した、毛管資材を防根透水資材で巻いて端部を重合させ、この重合部を固着した方法、そして、この固着の具体例として、請求項６に記載した、接着、溶着又は包着によったものを提供したものである。また、これに代えて、請求項７に記載した、予め防根透水資材を巻いて筒状にしておき、この中に毛管資材を引き込む手段、請求項８に記載した、毛管資材の外周に織布や編布を円筒形に形成できる織機や編機を配し、毛管資材を送るとともに、その周囲に防根透水資材を織成又は編成して行く手段も提供する。
［０００９］
（削除）
［発明の効果］
［００１０］
請求項１の手段によると、この防根給水紐は、毛管資材と防根透水資材とが一体になったものであるから、別々に敷張りしたりする手間が省けるし、紐状体になっているものであるから、鉢内に必要にして十分なだけ存在させることができ、全面敷張りが避けられて無駄が省ける。そして、請求項２の手段によると、端面を鉢内に存在させたとしても、毛管資材の中に根が侵入しないし、請求項３及び４の手段によると、取扱性に優れる上に作物に対して適度な水ストレスを与えるものになる。
［００１１］
一方、請求項５又は７の手段によると、それぞれ製品として市販されている毛管資材と防根透水資材を用いて紐状体を簡単に製造することができるし、請求項８の手段によると、製品形態の優れたものをいくらでも長く製造できる。
［図面の簡単な説明］
［００１２］
［第１図］本発明にかかる防根給水紐の説明図である。
【手続補正５】
【補正対象書類名】明細書
【補正対象項目名】０００３
【補正方法】変更
【補正の内容】
【０００３】
［第２図］防根給水紐の製造方法の一例を示す説明図である。
［第３図］防根給水紐を使用しての作物の栽培方法を示す説明図である。
［符号の説明］
［００１３］
Ａ      防根給水紐
１      毛管資材
２      防根透水資材
２ａ        〃      の余部
２ｂ        〃      の余部
３      紐状体
４      鉢
５      培土
６      トマト（作物）
６ａ    トマトの根
７      孔
８      養液
９      養液ポット
１０    ボール
［発明を実施するための最良の形態］
［００１４］
以下、本発明の実施の形態を図面を参照して説明する。図１は本発明に係る防根給水紐の斜視図であるが、この防根給水紐Ａは、毛管機能を有する毛管資材１の外周を透水性と防根（作物の根が侵入しない）機能を有する防根透水資材２で全面的に包んで紐状体３にしたものである。この場合の毛管資材１としては、合成或いは天然繊維の布や不織布を成形して毛管機能をもたせたもので、例えば、商品名「ラブシート」（ニチアス株式会社製造）といった名称で市販されているから、これを使用すればよい。
［００１５］
一方、防根透水資材２も、例えば、東洋紡株式会社等から種々市販されているから、これを使用すればよい。この防根透水資材２は、素材として、ポリエステル、ポリエチレン、ポリプロピレン、といった合成繊維を使用し、これを作物の根は侵入させないが、水は通す７×１０２〜２×１０３μｍ２の大きさの微細孔を形成して０．２〜３ｍｍ程度の厚みに織性、編成したものである。なお、この他に天然繊維の布帛や不織布や多孔質フィルムのものであってもよい。
［００１６］
以上の毛管資材１を防根透水資材２で包み込むのであるが、それには、以下の方法が考えられる。図２は製造方法の一つを示す説明図であるが、一定の長さと幅に調整した防根透水資材２を台等の上に敷き、この上に所定の幅と厚みに調整した毛管資材１を防根透水資材２の短手方向両端に所定の余部２ａ、２ｂを残す状態で載せ、余部２ａ、２ｂの一方を折り返して毛管資材１を包み、余部２ａ、２ｂ同士を重ねてこの重合部を固着する方法である。この固着の具体例としては、接着剤による接着、熱による溶着が一般的である。この場合の接着剤や溶着温度は素材に応じて適宜に選択すればよい。
［００１７］
この他、縫い糸を使用しての縫着であってもよい。なお、縫着の場合、縫い孔同士の間隔や縫い孔と縫い糸との間隙を防根機能を有する細かいものにする必要があるが、縫着した後で隙間部分を樹脂等で塞ぐことで解決できる。さらに、防根透水資材２の長手方向の端を余しておき、この部分も固着すれば、毛管資材１を防根透水資材２で全面的に被覆できる。この場合の防根透水資材２の厚みは、可撓性を発揮できる１ｍｍ以下のものが好ましい。
［００１８］
以上の製造方法によると、重合部が短手方向（又は長手方向）の端に突出する形態にな
【手続補正書】
【提出日】平成20年7月7日(2008.7.7)
【手続補正１】
【補正対象書類名】特許請求の範囲
【補正対象項目名】全文
【補正方法】変更
【補正の内容】
【特許請求の範囲】
【請求項１】
栽培鉢において水ストレス下で栽培される作物の培土に挿入されて栽培鉢外に置かれる養液ポットから養液を培土に供給する防根給水紐であり、この防根給水紐を、毛管機能を有する毛管資材の全長に亘ってその外周を透水性と防根機能を有する防根透水資材で包み、全長が毛管機能と防根透水機能を有する偏平な又は筒状の帯状をしていて可撓性のある紐状体にしたことを特徴とする防根給水紐。
【請求項２】
栽培鉢において水ストレス下で栽培される作物の培土に挿入されて栽培鉢外に置かれる養液ポットから養液を培土に供給する防根給水紐であり、この防根給水紐を、毛管機能を有する毛管資材の全長に亘ってその外周を透水性と防根機能を有する防根透水資材で短手方向の両端に余部を残して包み、余部を重合させてその重合部を固着して、全長が毛管機能と防根透水機能を有する偏平な又は筒状の帯状をしていて可撓性のある紐状体にしたことを特徴とする防根給水紐。
【請求項３】
重合部の固着が、接着、溶着又は縫着である請求項２の防根給水紐。
【請求項４】
防根透水資材による毛管資材の包み込みが、筒状にした防根透水資材の中に毛管資材を引き込んだものである請求項１又は２の防根給水紐。
【手続補正２】
【補正対象書類名】明細書
【補正対象項目名】全文
【補正方法】変更
【補正の内容】
【書類名】  明細書
【発明の名称】  防根給水紐
【技術分野】
【０００１】
本発明は、野菜や果樹の栽培に用いられる園芸資材であり、水（養液）の透過は許容するものの、作物の根の侵入は阻止する防根給水紐に関するものである。
【背景技術】
【０００２】
野菜や果樹（以下、作物）では、根域の拡がりを制限することで、根の過度の繁茂を抑えて茎や果実への栄養の行き渡りを助長し、より味の良い果実が収穫できることが知られている。このため、鉢等で栽培床の大きさを制限したりすることが行われている。一方、養分や水を管理的に補給すれば、栽培効率が上がることも知られている。そこで、栽培床に給水設備に連結されて毛管現象を呈す毛管シートを張り、給水設備から毛管シートを通して水（養液のこと。以下、同じ）を効率的に供給する方法がとられている。しかし、これによると、作物が成長するに伴ってその根が毛管シートに入り込み、毛管作用を損なうといったことが生ずる。
【０００３】
このため、下記特許文献１では、鉢の底に毛管シートを張り、その上に水は通すが、作物の根は通さない微細孔を形成した防根シートを敷き、これに培土を充填して作物を栽培する方法が提案されている。これによると、根は防根シートで遮られて毛管シート内まで侵入しないから、毛管シートの毛管作用を損なうことはない。しかし、防根シート及び毛管シートは、鉢内に全面的に敷張りされるものであるから、大量に必要になって無駄が生じるとともに、敷張りのための手間がかかる。何よりも、鉢内に全面的に敷張りされた毛管シートによって水が大量に供給され、作物は、所謂、水ストレスを起こさず、果実の味が低下するといった問題が生ずる。
【０００４】
そこで、下記特許文献２では、作物の培土を防根シートで包み、さらにその外側にも防根シートを張ってこの間に作物の根を伸長させる方法がとられている。これによると、作物の根は、二枚の防根シートの狭い間を伸長するから、根域は制限される。しかし、二枚の防根シートの間隔はいきおい狭いものにならざるを得ず、今度は水ストレスがかかりすぎ、栽培期間が短く、収量が少ないといった問題が生ずる。トマトを例にとれば、短期間で数段しか収穫できない。加えて、全面敷張りに基づく防根シートが大量に必要という問題や敷張りのための作業が煩雑であるという問題は、防根シートが二枚必要になることで余計に助長される。
【０００５】
さらに、特許文献３には、毛管機能を有する導水部の両端部を露出させ、残部を水密性のある被覆部で包んだ導水部と、導水部の露出部分を包む防根透水機能を有する給水被覆部とからなる導水管具が示されているが、部材が導水部、被覆部及び給水被覆部の三部材からなって構造が複雑になるとともに、コストが高くつく。また、栽培鉢内に挿入できる給水被覆部は長さが２０〜１００ｍｍと短いから、鉢内の作物へ十分に給水されないといった点が指摘される。さらに、導水部と被覆給水部の固定作業をしなければならず、製造が煩雑である。この他、特許文献４には、栽培鉢内に置設する毛管機能を有する紐状体の外周を綿と樹脂製の網又は孔あきホースで覆ったものが示されているが、これら綿と網又は孔あきホースは作物の根の侵入を阻止する（防根）考え方は取り入れられておらず、作物は成長に伴ってその根がこれらを突き破って紐状体に侵入し、目詰まりを起こす。
【特許文献１】    特開平１０−１２７１７７号公報
【特許文献２】    特開２００４−２０１５１８号公報
【特許文献３】    特開平１１−０３２６０２号公報
【特許文献４】    特開２００２−３０５９８１号公報
【発明の開示】
【発明が解決しようとする課題】
【０００６】
本発明は、上記した問題を解決したものであって、要するに、毛管資材を防根透水資材で包み込んだ紐状体にすることで、鉢内（培土）に必要十分な占有面積を確保できて作物に対して水ストレスを適度に与え、加えて、敷張りのための手間も極力省けるようにしたものである。
【課題を解決するための手段】
【０００７】
以上の課題の下、本発明は、請求項１に記載した、栽培鉢において水ストレス下で栽培される作物の培土に挿入されて栽培鉢外に置かれる養液ポットから養液を培土に供給する防根給水紐であり、この防根給水紐を、毛管機能を有する毛管資材の全長に亘ってその外周を透水性と防根機能を有する防根透水資材で包み、全長が毛管機能と防根透水機能を有する偏平な又は筒状の帯状をしていて可撓性のある紐状体にしたことを特徴とする防根給水紐を提供する。
【０００８】
また、請求項２に記載された、栽培鉢において水ストレス下で栽培される作物の培土に挿入されて栽培鉢外に置かれる養液ポットから養液を培土に供給する防根給水紐であり、この防根給水紐を、毛管機能を有する毛管資材の全長に亘ってその外周を透水性と防根機能を有する防根透水資材で短手方向の両端に余部を残して包み、余部を重合させてその重合部を固着して、全長が毛管機能と防根透水機能を有する偏平な又は筒状の帯状をしていて可撓性のある紐状体にしたことを特徴とする防根給水紐を提供する。
【０００９】
そして、これにおいて、請求項３に記載した、重合部の固着が、接着、溶着又は縫着である手段、請求項４に記載した、防根透水資材による毛管資材の包み込みが、筒状にした防根透水資材の中に毛管資材を引き込んだものである手段を提供する。
【発明の効果】
【００１０】
請求項１及び２の手段によると、この防根給水紐は、毛管資材と防根透水資材とが一体になったものであるから、作物を水ストレス下が栽培する場合に、別々に敷張りしたりする手間が省けるし、紐状体になっているものであるから、鉢内に必要にして十分なだけ存在させることができ、全面敷張りが避けられて無駄が省ける。
【発明を実施するための最良の形態】
【００１１】
以下、本発明の実施の形態を図面を参照して説明する。図１は本発明に係る防根給水紐の斜視図であるが、この防根給水紐Ａは、毛管機能を有する毛管資材１の外周を透水性と防根（作物の根が侵入しない）機能を有する防根透水資材２で全面的に包んで紐状体３にしたものである。この場合の毛管資材１としては、合成或いは天然繊維の布や不織布を成形して毛管機能をもたせたもので、例えば、商品名「ラブシート」（ニチアス株式会社製造）といった名称で市販されているから、これを使用すればよい。
【００１２】
一方、防根透水資材２も、例えば、東洋紡株式会社等から種々市販されているから、これを使用すればよい。この防根透水資材２は、素材として、ポリエステル、ポリエチレン、ポリプロピレン、といった合成繊維を使用し、これを作物の根は侵入させないが、水は通す７×１０2 〜２×１０3 μｍ2 の大きさの微細孔を形成して０．２〜３ｍｍ程度の厚みに織性、編成したものである。なお、この他に天然繊維の布帛や不織布や多孔質フィルムのものであってもよい。
【００１３】
以上の毛管資材１を防根透水資材２で包み込むのであるが、それには、以下の方法が考えられる。図２は製造方法の一つを示す説明図であるが、一定の長さと幅に調整した防根透水資材２を台等の上に敷き、この上に所定の幅と厚みに調整した毛管資材１を防根透水資材２の短手方向両端に所定の余部２ａ、２ｂを残す状態で載せ、余部２ａ、２ｂの一方を折り返して毛管資材１を包み、余部２ａ、２ｂ同士を重ねてこの重合部を固着する方法である。この固着の具体例としては、接着剤による接着、熱による溶着が一般的である。この場合の接着剤や溶着温度は素材に応じて適宜に選択すればよい。
【００１４】
この他、縫い糸を使用しての縫着であってもよい。なお、縫着の場合、縫い孔同士の間隔や縫い孔と縫い糸との間隙を防根機能を有する細かいものにする必要があるが、縫着した後で隙間部分を樹脂等で塞ぐことで解決できる。さらに、防根透水資材２の長手方向の端を余しておき、この部分も固着すれば、毛管資材１を防根透水資材２で全面的に被覆できる。この場合の防根透水資材２の厚みは、可撓性を発揮できる１ｍｍ以下のものが好ましい。
【００１５】
以上の製造方法によると、重合部が短手方向（又は長手方向）の端に突出する形態になるが、これは、固着作業がし易いからであり、これが存在していたとしても、性能上は何ら問題はない。もちろん、重合部を端に出さないようにして固着してもよい。この他の製造方法としては、図示は省略するが、防根透水資材２を予め重合部ができるように巻いて筒状にしておき、毛管資材１に糸や紐を取り付け、これを防根透水資材２の中に通して引っ張ることで、毛管資材１を防根透水資材２の中に引き込むようにしてもよい。これによると、重合部をはみ出さないように形成するのが比較的容易になる利点がある。
【００１６】
以上の紐状体３のサイズとしては、幅Ｗが２０〜５０ｍｍ、厚みｔが２〜６ｍｍ程度が栽培用の鉢に対しての占有面積が適するものになって好ましい。この幅Ｗや厚みｔは、毛管資材１と防根透水資材２の製造前寸法で調整することになるのであるが、特に、厚みｔに関しては、先の市販品のものを使用するとすれば、その厚みは比較的薄い（２．５ｍｍ程度）から、これを一枚又は複数枚重ねて所定の厚みｔにすればよい。もちろん、メーカー等に依頼して最初から所定の厚みｔのものに加工して貰ってもよい。
【００１７】
トマトの栽培を例にとると、鉢は、根域制限の観点から、直径１５〜２０ｃｍ、深さ２０〜３０ｃｍ程度のものが好ましいから、上記のサイズの紐状体３によれば、鉢内にこれを一本配置しておくだけで、適度な水ストレスを与えるものになる。したがって、サイズがこれよりも小さいと、数が多く必要になるし、大きいと、水の供給が過多になって好ましくない。また、長さは、上記の方法によれば、あまり長いものは製造し難く、１ｍ程度が限度になるが、この程度であれば十分である。なお、紐状体３の断面形状は、毛管資材１の断面形状によって決まるから、これを方形、円形、楕円形、多角形にしておけば、その形状になる。中でも、上記した偏平な方形（帯状）のものが断面積に対する表面積が大きくなって透水性に優れ、かつ取扱性も良くなって好ましい。
【００１８】
ところで、紐状体３の連続体を製造することも可能である。例えば、毛管資材１と防根透水資材２を連続して送り出し、この間、防根透水資材２をガイド等で円形に巻いて毛管資材１を包み込み、端部同士を接着、溶着又は縫着して固着する方法が考えられる。また、毛管資材１の回りに織布や編布を円筒体に形成できる織機や編機を配し、毛管資材１を送るとともに、その周囲に織機や編機によって防根透水資材２を織成又は編成して行く方法も不可能ではない。これによると、紐状体３を長尺のものにできるから、適宜ロールに巻いたもので流通過程におけるから、購入者は、これを適当な長さに切断して使用すればよい。
【００１９】
図３は以上の防根給水紐Ａを用いてトマトを鉢栽培する場合の説明図であるが、上記したサイズの鉢４の中に培土５を表面近くまで入れ、この中にトマト６を植える。この場合、鉢４の側面には、底面から２〜５ｃｍの高さに紐状体３を通す孔７をあけておく。そして、鉢４の側下方には養液８を入れた養液ポット９を用意し、紐状体３の一端を養液８に浸し、他端側を上方に引き上げて孔７に通してその延長上を反対側まで這わせ、ここから鉢壁に沿って上昇させ、培土５の表面近くまで延ばす。一方、終端では、紐状体３を数回巻いてボール１０にしておくのが好ましい。
【００２０】
以上により、トマト６は、養液８を紐状体３で吸い上げ、生育して結実するから、これを収穫すればよい。これにおいて、鉢４は上記したサイズであるから、根域制限されて養分を徒に根に回さず、味の良いものになる。また、紐状体３が上記したサイズのものであれば、鉢４のサイズに対して適度な水ストレス与えるものになり、この面からも味の良いものになる。さらに、紐状体３の端をボール１０にしておけば、この部分から集中的に養液８が供給され、培土５に均等に行き渡る。この場合、トマト６の根６ａは、水を求めて紐状体３に殺到するように伸長して来るが、紐状体３の表面の防根透水資材２で遮られて中の毛管資材１までは侵入せず、紐状体３の毛管機能は阻害されない。ところで、トマト６は生長に伴って多くの養液８を必要とするから、予め紐状体３を鉢４に複数設けておき、その生長に合わせて養液８に浸して行く本数を増やすようにすれば、効率的な栽培ができる。
【００２１】
この意味で、紐状体３を通す孔７が鉢４の側面に設けられているのが好ましい作用をする。底面であると、重力の作用で根６ａが伸長し易く、孔７から進出するおそれがあるからである。根６ａが孔７から進出すると、紐状体３を伝わって養液ポット９まで入り込み、そうなると、水ストレスが与えられない水耕栽培になってしまい、味が低下する。この点、孔７が鉢４の側面に設けられていると、根６ａが進出し難くなる。ただし、この場合でも、孔７と紐状体４の間隙は極力小さくする必要がある。
【００２２】
また、養液ポット９と鉢４とはある程度離すのが好ましい。加えて、鉢４内において、紐状体３の下方に２〜５ｃｍの培土空間ａを確保していることも好ましい影響を与える。紐状体３に殺到して来た根６ａがこの空間ａに回り込むことができるからであり、限られた（根域制限された）空間で、できるだけ広範囲に、しかも均等に繁茂できることになり、これも味の良さにつながる。紐状体３をこのような配置で鉢４内に通しておけば、トマト６は、味の良い果実を１０ケ月程度の長期間結実し続ける。発明者が確認したところでは、１年近く、２５段まで育成できた。
【００２３】
以上は、本発明の一例であるが、本発明は、これに限らない。例えば、防根給水紐のサイズは、作物の生育過程で適宜調整することがある。具体的には、多くの水を必要とする夏季には、断面積の大きな紐状体を使用することは有効である。また、栽培する作物も、トマトに限らず、メロンやその他の野菜や果樹でも可能である。さらに、養液ポットと鉢とは１：１の関係に限らず、養液ポットを共通の樋のようなものにしてもよいし、鉢も個別ものに限らず、連続した樋のようなものにしてもよい。こうすれば、設備費が安くなる利点がある。この他、この防根給水紐は、鉢栽培に限らず、露地栽培にも適用できる。すなわち、畝の中にこの防根防水紐を通しておけば、これが水通路となって作物の生育をより促す。
【図面の簡単な説明】
【００２４】
【第１図】  本発明にかかる防根給水紐の説明図である。
【第２図】  防根給水紐の製造方法の一例を示す説明図である。
【第３図】  防根給水紐を使用しての作物の栽培方法を示す説明図である。
【符号の説明】
【００２５】
Ａ      防根給水紐
１      毛管資材
２      防根透水資材
２ａ        〃      の余部
２ｂ        〃      の余部
３      紐状体
４      鉢
５      培土
６      トマト（作物）
６ａ    トマトの根
７      孔
８      養液
９      養液ポット
１０    ボール
【手続補正書】
【提出日】平成20年10月21日(2008.10.21)
【手続補正１】
【補正対象書類名】特許請求の範囲
【補正対象項目名】全文
【補正方法】変更
【補正の内容】
【特許請求の範囲】
【請求項１】
栽培鉢において水ストレス下で栽培される作物の培土に挿入されて栽培鉢外に置かれる養液ポットから養液を培土に供給する防根給水紐であり、この防根給水紐を、毛管機能を有する毛管資材の全長に亘ってその外周を透水性と防根機能を有する防根透水資材で短手方向の両端に余部を残して包み、余部を重合させてその重合部を固着して、全長が毛管機能と防根透水機能を有する偏平な又は筒状の帯状をしていて可撓性のある紐状体にしたことを特徴とする防根給水紐。
【請求項２】
重合部の固着が、接着、溶着又は縫着である請求項１の防根給水紐。
【手続補正２】
【補正対象書類名】明細書
【補正対象項目名】全文
【補正方法】変更
【補正の内容】
【書類名】  明細書
【発明の名称】  防根給水紐
【技術分野】
【０００１】
本発明は、野菜や果樹の栽培に用いられる園芸資材であり、水（養液）の透過は許容するものの、作物の根の侵入は阻止する防根給水紐に関するものである。
【背景技術】
【０００２】
野菜や果樹（以下、作物）では、根域の拡がりを制限することで、根の過度の繁茂を抑えて茎や果実への栄養の行き渡りを助長し、より味の良い果実が収穫できることが知られている。このため、鉢等で栽培床の大きさを制限したりすることが行われている。一方、養分や水を管理的に補給すれば、栽培効率が上がることも知られている。そこで、栽培床に給水設備に連結されて毛管現象を呈す毛管シートを張り、給水設備から毛管シートを通して水（養液のこと。以下、同じ）を効率的に供給する方法がとられている。しかし、これによると、作物が成長するに伴ってその根が毛管シートに入り込み、毛管作用を損なうといったことが生ずる。
【０００３】
このため、下記特許文献１では、鉢の底に毛管シートを張り、その上に水は通すが、作物の根は通さない微細孔を形成した防根シートを敷き、これに培土を充填して作物を栽培する方法が提案されている。これによると、根は防根シートで遮られて毛管シート内まで侵入しないから、毛管シートの毛管作用を損なうことはない。しかし、防根シート及び毛管シートは、鉢内に全面的に敷張りされるものであるから、大量に必要になって無駄が生じるとともに、敷張りのための手間がかかる。何よりも、鉢内に全面的に敷張りされた毛管シートによって水が大量に供給され、作物は、所謂、水ストレスを起こさず、果実の味が低下するといった問題が生ずる。
【０００４】
そこで、下記特許文献２では、作物の培土を防根シートで包み、さらにその外側にも防根シートを張ってこの間に作物の根を伸長させる方法がとられている。これによると、作物の根は、二枚の防根シートの狭い間を伸長するから、根域は制限される。しかし、二枚の防根シートの間隔はいきおい狭いものにならざるを得ず、今度は水ストレスがかかりすぎ、栽培期間が短く、収量が少ないといった問題が生ずる。トマトを例にとれば、短期間で数段しか収穫できない。加えて、全面敷張りに基づく防根シートが大量に必要という問題や敷張りのための作業が煩雑であるという問題は、防根シートが二枚必要になることで余計に助長される。
【０００５】
さらに、特許文献３には、毛管機能を有する導水部の両端部を露出させ、残部を水密性のある被覆部で包んだ導水部と、導水部の露出部分を包む防根透水機能を有する給水被覆部とからなる導水管具が示されているが、部材が導水部、被覆部及び給水被覆部の三部材からなって構造が複雑になるとともに、コストが高くつく。また、栽培鉢内に挿入できる給水被覆部は長さが２０〜１００ｍｍと短いから、鉢内の作物へ十分に給水されないといった点が指摘される。さらに、導水部と被覆給水部の固定作業をしなければならず、製造が煩雑である。この他、特許文献４には、栽培鉢内に置設する毛管機能を有する紐状体の外周を綿と樹脂製の網又は孔あきホースで覆ったものが示されているが、これら綿と網又は孔あきホースは作物の根の侵入を阻止する（防根）考え方は取り入れられておらず、作物は成長に伴ってその根がこれらを突き破って紐状体に侵入し、目詰まりを起こす。
【特許文献１】    特開平１０−１２７１７７号公報
【特許文献２】    特開２００４−２０１５１８号公報
【特許文献３】    特開平１１−０３２６０２号公報
【特許文献４】    特開２００２−３０５９８１号公報
【発明の開示】
【発明が解決しようとする課題】
【０００６】
本発明は、上記した問題を解決したものであって、要するに、毛管資材を防根透水資材で包み込んだ紐状体にすることで、鉢内（培土）に必要十分な占有面積を確保できて作物に対して水ストレスを適度に与え、加えて、敷張りのための手間も極力省けるようにしたものである。
【課題を解決するための手段】
【０００７】
以上の課題の下、本発明は、請求項１に記載した、栽培鉢において水ストレス下で栽培される作物の培土に挿入されて栽培鉢外に置かれる養液ポットから養液を培土に供給する防根給水紐であり、この防根給水紐を、毛管機能を有する毛管資材の全長に亘ってその外周を透水性と防根機能を有する防根透水資材で短手方向の両端に余部を残して包み、余部を重合させてその重合部を固着して、全長が毛管機能と防根透水機能を有する偏平な又は筒状の帯状をしていて可撓性のある紐状体にしたことを特徴とする防根給水紐及び請求項２に記載した、重合部の固着が、接着、溶着又は縫着である手段を提供する。
【発明の効果】
【０００８】
請求項１によると、この防根給水紐は、毛管資材と防根透水資材とが一体になったものであるから、作物を水ストレス下で栽培する場合に、別々に敷張りしたりする手間が省けるし、紐状体になっているものであるから、鉢内に必要にして十分なだけ存在させることができ、全面敷張りが避けられて無駄が省ける。
【発明を実施するための最良の形態】
【０００９】
以下、本発明の実施の形態を図面を参照して説明する。図１は本発明に係る防根給水紐の斜視図であるが、この防根給水紐Ａは、毛管機能を有する毛管資材１の外周を透水性と防根（作物の根が侵入しない）機能を有する防根透水資材２で全面的に包んで紐状体３にしたものである。この場合の毛管資材１としては、合成或いは天然繊維の布や不織布を成形して毛管機能をもたせたもので、例えば、商品名「ラブシート」（ニチアス株式会社製造）といった名称で市販されているから、これを使用すればよい。
【００１０】
一方、防根透水資材２も、例えば、東洋紡績株式会社等から種々市販されているから、これを使用すればよい。この防根透水資材２は、素材として、ポリエステル、ポリエチレン、ポリプロピレン、といった合成繊維を使用し、これを作物の根は侵入させないが、水は通す７×１０2 〜２×１０3 μｍ2 の大きさの微細孔を形成して０．２〜３ｍｍ程度の厚みに織性、編成したものである。なお、この他に天然繊維の布帛や不織布や多孔質フィルムのものであってもよい。
【００１１】
以上の毛管資材１を防根透水資材２で包み込むのであるが、それには、以下の方法が考えられる。図２は製造方法の一つを示す説明図であるが、一定の長さと幅に調整した防根透水資材２を台等の上に敷き、この上に所定の幅と厚みに調整した毛管資材１を防根透水資材２の短手方向両端に所定の余部２ａ、２ｂを残す状態で載せ、余部２ａ、２ｂの一方を折り返して毛管資材１を包み、余部２ａ、２ｂ同士を重ねてこの重合部を固着する方法である。この固着の具体例としては、接着剤による接着、熱による溶着が一般的である。この場合の接着剤や溶着温度は素材に応じて適宜に選択すればよい。
【００１２】
この他、縫い糸を使用しての縫着であってもよい。なお、縫着の場合、縫い孔同士の間隔や縫い孔と縫い糸との間隙を防根機能を有する細かいものにする必要があるが、縫着した後で隙間部分を樹脂等で塞ぐことで解決できる。さらに、防根透水資材２の長手方向の端を余しておき、この部分も固着すれば、毛管資材１を防根透水資材２で全面的に被覆できる。この場合の防根透水資材２の厚みは、可撓性を発揮できる１ｍｍ以下のものが好ましい。
【００１３】
以上の製造方法によると、重合部が短手方向（又は長手方向）の端に突出する形態になるが、これは、固着作業がし易いからであり、これが存在していたとしても、性能上は何ら問題はない。もちろん、重合部を端に出さないようにして固着してもよい。この他の製造方法としては、図示は省略するが、防根透水資材２を予め重合部ができるように巻いて筒状にしておき、毛管資材１に糸や紐を取り付け、これを防根透水資材２の中に通して引っ張ることで、毛管資材１を防根透水資材２の中に引き込むようにしてもよい。これによると、重合部をはみ出さないように形成するのが比較的容易になる利点がある。
【００１４】
以上の紐状体３のサイズとしては、幅Ｗが２０〜５０ｍｍ、厚みｔが２〜６ｍｍ程度が栽培用の鉢に対しての占有面積が適するものになって好ましい。この幅Ｗや厚みｔは、毛管資材１と防根透水資材２の製造前寸法で調整することになるのであるが、特に、厚みｔに関しては、先の市販品のものを使用するとすれば、その厚みは比較的薄い（２．５ｍｍ程度）から、これを一枚又は複数枚重ねて所定の厚みｔにすればよい。もちろん、メーカー等に依頼して最初から所定の厚みｔのものに加工して貰ってもよい。
【００１５】
トマトの栽培を例にとると、鉢は、根域制限の観点から、直径１５〜２０ｃｍ、深さ２０〜３０ｃｍ程度のものが好ましいから、上記のサイズの紐状体３によれば、鉢内にこれを一本配置しておくだけで、適度な水ストレスを与えるものになる。したがって、サイズがこれよりも小さいと、数が多く必要になるし、大きいと、水の供給が過多になって好ましくない。また、長さは、上記の方法によれば、あまり長いものは製造し難く、１ｍ程度が限度になるが、この程度であれば十分である。なお、紐状体３の断面形状は、毛管資材１の断面形状によって決まるから、これを方形、円形、楕円形、多角形にしておけば、その形状になる。中でも、上記した偏平な方形（帯状）のものが断面積に対する表面積が大きくなって透水性に優れ、かつ取扱性も良くなって好ましい。
【００１６】
ところで、紐状体３の連続体を製造することも可能である。例えば、毛管資材１と防根透水資材２を連続して送り出し、この間、防根透水資材２をガイド等で円形に巻いて毛管資材１を包み込み、端部同士を接着、溶着又は縫着して固着する方法が考えられる。また、毛管資材１の回りに織布や編布を円筒体に形成できる織機や編機を配し、毛管資材１を送るとともに、その周囲に織機や編機によって防根透水資材２を織成又は編成して行く方法も不可能ではない。これによると、紐状体３を長尺のものにできるから、適宜ロールに巻いたもので流通過程におけるから、購入者は、これを適当な長さに切断して使用すればよい。
【００１７】
図３は以上の防根給水紐Ａを用いてトマトを鉢栽培する場合の説明図であるが、上記したサイズの鉢４の中に培土５を表面近くまで入れ、この中にトマト６を植える。この場合、鉢４の側面には、底面から２〜５ｃｍの高さに紐状体３を通す孔７をあけておく。そして、鉢４の側下方には養液８を入れた養液ポット９を用意し、紐状体３の一端を養液８に浸し、他端側を上方に引き上げて孔７に通してその延長上を反対側まで這わせ、ここから鉢壁に沿って上昇させ、培土５の表面近くまで延ばす。一方、終端では、紐状体３を数回巻いてボール１０にしておくのが好ましい。
【００１８】
以上により、トマト６は、養液８を紐状体３で吸い上げ、生育して結実するから、これを収穫すればよい。これにおいて、鉢４は上記したサイズであるから、根域制限されて養分を徒に根に回さず、味の良いものになる。また、紐状体３が上記したサイズのものであれば、鉢４のサイズに対して適度な水ストレス与えるものになり、この面からも味の良いものになる。さらに、紐状体３の端をボール１０にしておけば、この部分から集中的に養液８が供給され、培土５に均等に行き渡る。この場合、トマト６の根６ａは、水を求めて紐状体３に殺到するように伸長して来るが、紐状体３の表面の防根透水資材２で遮られて中の毛管資材１までは侵入せず、紐状体３の毛管機能は阻害されない。ところで、トマト６は生長に伴って多くの養液８を必要とするから、予め紐状体３を鉢４に複数設けておき、その生長に合わせて養液８に浸して行く本数を増やすようにすれば、効率的な栽培ができる。
【００１９】
この意味で、紐状体３を通す孔７が鉢４の側面に設けられているのが好ましい作用をする。底面であると、重力の作用で根６ａが伸長し易く、孔７から進出するおそれがあるからである。根６ａが孔７から進出すると、紐状体３を伝わって養液ポット９まで入り込み、そうなると、水ストレスが与えられない水耕栽培になってしまい、味が低下する。この点、孔７が鉢４の側面に設けられていると、根６ａが進出し難くなる。ただし、この場合でも、孔７と紐状体４の間隙は極力小さくする必要がある。
【００２０】
また、養液ポット９と鉢４とはある程度離すのが好ましい。加えて、鉢４内において、紐状体３の下方に２〜５ｃｍの培土空間ａを確保していることも好ましい影響を与える。紐状体３に殺到して来た根６ａがこの空間ａに回り込むことができるからであり、限られた（根域制限された）空間で、できるだけ広範囲に、しかも均等に繁茂できることになり、これも味の良さにつながる。紐状体３をこのような配置で鉢４内に通しておけば、トマト６は、味の良い果実を１０ケ月程度の長期間結実し続ける。発明者が確認したところでは、１年近く、２５段まで育成できた。
【００２１】
以上は、本発明の一例であるが、本発明は、これに限らない。例えば、防根給水紐のサイズは、作物の生育過程で適宜調整することがある。具体的には、多くの水を必要とする夏季には、断面積の大きな紐状体を使用することは有効である。また、栽培する作物も、トマトに限らず、メロンやその他の野菜や果樹でも可能である。さらに、養液ポットと鉢とは１：１の関係に限らず、養液ポットを共通の樋のようなものにしてもよいし、鉢も個別ものに限らず、連続した樋のようなものにしてもよい。こうすれば、設備費が安くなる利点がある。この他、この防根給水紐は、鉢栽培に限らず、露地栽培にも適用できる。すなわち、畝の中にこの防根防水紐を通しておけば、これが水通路となって作物の生育をより促す。
【図面の簡単な説明】
【００２２】
【第１図】  本発明にかかる防根給水紐の説明図である。
【第２図】  防根給水紐の製造方法の一例を示す説明図である。
【第３図】  防根給水紐を使用しての作物の栽培方法を示す説明図である。
【符号の説明】
【００２３】
Ａ      防根給水紐
１      毛管資材
２      防根透水資材
２ａ        〃      の余部
２ｂ        〃      の余部
３      紐状体
４      鉢
５      培土
６      トマト（作物）
６ａ    トマトの根
７      孔
８      養液
９      養液ポット
１０    ボール
【国際調査報告】
2007086295.tif 000006
2007086295.tif 000007
2007086295.tif 000008
2007086295.tif 000009